(57)【要約】【課題】印刷装置に対して対応付けられる印刷情報を変更できるようにする。【解決手段】印刷物の生成に用いられる印刷情報を取得する取得手段と、取得された複数の印刷情報から、複数の新たな印刷情報を生成する印刷情報生成手段と、新たに生成された印刷情報の各々と、複数の印刷装置の各々とを対応付ける対応付け手段と、対応付け手段による対応付けを変更する対応付け変更手段と、を備える情報処理システムである。【選択図】図７
2019215722.tif 000002
【特許請求の範囲】
【請求項１】
印刷物の生成に用いられる印刷情報を取得する取得手段と、
取得された複数の前記印刷情報から、複数の新たな印刷情報を生成する印刷情報生成手段と、
新たに生成された印刷情報の各々と、複数の印刷装置の各々とを対応付ける対応付け手段と、
前記対応付け手段による対応付けを変更する対応付け変更手段と、
を備える情報処理システム。
【請求項２】
前記対応付け変更手段は、予め定められた条件が満たされる場合に、前記対応付けの変更を行う請求項１に記載の情報処理システム。
【請求項３】
前記対応付け変更手段は、ユーザからの指示があった場合に、前記対応付けの変更を行う請求項１に記載の情報処理システム。
【請求項４】
前記対応付け変更手段は、ユーザが入力した条件に基づき、前記対応付けの変更を行う請求項１に記載の情報処理システム。
【請求項５】
前記対応付け手段は、予め登録された条件に基づき、対応付けを行い、
前記対応付け変更手段は、前記対応付け手段による対応付けが行われた後に入力された条件に基づき、前記対応付けの変更を行う請求項１に記載の情報処理システム。
【請求項６】
前記対応付け変更手段は、前記対応付け手段による対応付けが行われた後にユーザが入力した条件に基づき、前記対応付けの変更を行う請求項５に記載の情報処理システム。
【請求項７】
前記対応付け手段により行われた対応付けの内容の表示を指示する表示指示手段を更に備える請求項１に記載の情報処理システム。
【請求項８】
前記表示指示手段は、前記対応付け変更手段による対応付けの変更が行われた後の対応付けの内容の表示をさらに指示する請求項７に記載の情報処理システム。
【請求項９】
前記取得手段は、複数の部品からなる印刷物の生成に用いられる印刷情報を取得し、
前記印刷情報生成手段は、取得された複数の前記印刷情報から、部品毎の印刷情報を生成し、
前記対応付け変更手段は、生成された前記部品毎の印刷情報の各々と、複数の印刷装置の各々とを対応付ける請求項１に記載の情報処理システム。
【請求項１０】
前記対応付け変更手段は、一の前記印刷装置に対応付けられた部品毎の印刷情報を、当該一の印刷装置とは異なる他の印刷装置に対応付ける請求項９に記載の情報処理システム。
【請求項１１】
印刷物の生成に用いられる印刷情報を取得する取得手段と、
取得された複数の前記印刷情報から、複数の新たな印刷情報を生成する印刷情報生成手段と、
新たに生成された印刷情報の各々と、複数の印刷装置の各々とを、第１の条件を用いて対応付ける第１の対応付け手段と、
新たに生成された印刷情報の各々と、複数の印刷装置の各々とを、第２の条件を用いて対応付ける第２の対応付け手段と、
を備える情報処理システム。
【請求項１２】
前記第２の対応付け手段は、前記第１の対応付け手段による対応付けが行われた後、予め定められた条件が満たされた場合に、前記第２の条件を用いての対応付けを行う請求項１１に記載の情報処理システム。
【請求項１３】
前記第１の条件は、予め登録された条件であり、
前記第２の条件は、前記第１の対応付け手段による対応付けの後に入力された条件である請求項１１に記載の情報処理システム。
【請求項１４】
前記第２の条件は、前記第１の対応付け手段による対応付けの後にユーザにより入力された条件である請求項１３に記載の情報処理システム。
【請求項１５】
印刷物の生成に用いられる印刷情報を取得する取得手段と、
取得された複数の前記印刷情報から、複数の新たな印刷情報を生成する印刷情報生成手段と、
新たに生成された印刷情報の各々と、複数の印刷装置の各々とを対応付ける対応付け手段と、
前記印刷装置に対応付けられた印刷情報の内容を変更する内容変更手段と、
を備える情報処理システム。
【請求項１６】
前記内容変更手段は、前記印刷装置における印刷物の印刷順序が変更されるように、印刷情報の内容の変更を行う請求項１５に記載の情報処理システム。
【請求項１７】
前記内容変更手段は、印刷物毎に定められた納期の順で印刷物が出力されるように、印刷情報の内容の変更を行う請求項１５に記載の情報処理システム。
【請求項１８】
前記内容変更手段は、一の印刷装置に対して、新たに生成された前記印刷情報が複数対応付けられた場合に、当該一の印刷装置に対応付けられた印刷情報の内容の変更を行う請求項１５に記載の情報処理システム。
【請求項１９】
前記取得手段は、複数の部品からなる印刷物の生成に用いられる印刷情報を取得し、
前記印刷情報生成手段は、取得された複数の前記印刷情報から、部品毎の印刷情報を生成し、
前記対応付け手段は、生成された前記部品毎の印刷情報の各々と、複数の印刷装置の各々との対応付けを行い、
前記内容変更手段は、一の前記印刷装置に対応付けられた印刷情報の内容の変更にあたり、一の種類の部品の印刷と、続いて行われる当該一の種類の部品の印刷との間に、他の種類の部品の印刷が行われるように、印刷情報の内容の変更を行う請求項１５に記載の情報処理システム。
【請求項２０】
印刷物の生成に用いられる印刷情報を取得する取得機能と、
取得された複数の前記印刷情報から、複数の新たな印刷情報を生成する印刷情報生成機能と、
新たに生成された印刷情報の各々と、複数の印刷装置の各々とを対応付ける対応付け機能と、
前記対応付け機能による対応付けを変更する対応付け変更機能と、
をコンピュータに実現させるためのプログラム。
【請求項２１】
印刷物の生成に用いられる印刷情報を取得する取得機能と、
取得された複数の前記印刷情報から、複数の新たな印刷情報を生成する印刷情報生成機能と、
新たに生成された印刷情報の各々と、複数の印刷装置の各々とを、第１の条件を用いて対応付ける第１の対応付け機能と、
新たに生成された印刷情報の各々と、複数の印刷装置の各々とを、第２の条件を用いて対応付ける第２の対応付け機能と、
をコンピュータに実現させるためのプログラム。
【請求項２２】
印刷物の生成に用いられる印刷情報を取得する取得機能と、
取得された複数の前記印刷情報から、複数の新たな印刷情報を生成する印刷情報生成機能と、
新たに生成された印刷情報の各々と、複数の印刷装置の各々とを対応付ける対応付け機能と、
前記印刷装置に対応付けられた印刷情報の内容を変更する内容変更機能と、
をコンピュータに実現させるためのプログラム。
【発明の詳細な説明】
【技術分野】
【０００１】
本発明は、情報処理システムおよびプログラムに関する。
【背景技術】
【０００２】
特許文献１には、能力取得手段により取得された後処理能力情報と、印刷ジョブにおける後処理の内容に関する後処理情報とに基づいて、印刷ジョブにおける後処理を実行する能力のある後処理装置を検索する検索手段が開示されている。
特許文献２には、第１のジョブグループ内で同一の用紙情報を有する印刷ジョブは連続させるように印刷ジョブの処理順序を決定し、この決定された処理順序に基づいて第２のジョブグループ内の印刷ジョブの処理順序を決定する処理が開示されている。
特許文献３には、複数のプリンタに接続される印刷ジョブ管理装置において実行される、印刷ジョブを解析する方法が開示されている。
【先行技術文献】
【特許文献】
【０００３】
【特許文献１】特開２００９−２７１８５９号公報
【特許文献２】特開２０１２−１４６０１９号公報
【特許文献３】特開２００７−３０５１１１号公報
【発明の概要】
【発明が解決しようとする課題】
【０００４】
１つの印刷装置で印刷を行うのではなく、印刷情報の各々を複数の印刷装置の各々に対応付け、複数の印刷装置を用いて印刷を行うようにすれば、印刷物の生成条件により適した印刷装置で印刷を行える。
ところで、印刷情報と印刷装置との対応付けが、例えば、ユーザが意図する対応付けとは異なる対応付けとなることも想定され、この場合、ユーザが意図する条件とは異なる条件で印刷が行われることになる。
本発明の目的は、印刷装置に対して対応付けられる印刷情報を変更できるようにすることにある。
【課題を解決するための手段】
【０００５】
請求項１に記載の発明は、印刷物の生成に用いられる印刷情報を取得する取得手段と、取得された複数の前記印刷情報から、複数の新たな印刷情報を生成する印刷情報生成手段と、新たに生成された印刷情報の各々と、複数の印刷装置の各々とを対応付ける対応付け手段と、前記対応付け手段による対応付けを変更する対応付け変更手段と、を備える情報処理システムである。
請求項２に記載の発明は、前記対応付け変更手段は、予め定められた条件が満たされる場合に、前記対応付けの変更を行う請求項１に記載の情報処理システムである。
請求項３に記載の発明は、前記対応付け変更手段は、ユーザからの指示があった場合に、前記対応付けの変更を行う請求項１に記載の情報処理システムである。
請求項４に記載の発明は、前記対応付け変更手段は、ユーザが入力した条件に基づき、前記対応付けの変更を行う請求項１に記載の情報処理システムである。
請求項５に記載の発明は、前記対応付け手段は、予め登録された条件に基づき、対応付けを行い、前記対応付け変更手段は、前記対応付け手段による対応付けが行われた後に入力された条件に基づき、前記対応付けの変更を行う請求項１に記載の情報処理システムである。
請求項６に記載の発明は、前記対応付け変更手段は、前記対応付け手段による対応付けが行われた後にユーザが入力した条件に基づき、前記対応付けの変更を行う請求項５に記載の情報処理システムである。
請求項７に記載の発明は、前記対応付け手段により行われた対応付けの内容の表示を指示する表示指示手段を更に備える請求項１に記載の情報処理システムである。
請求項８に記載の発明は、前記表示指示手段は、前記対応付け変更手段による対応付けの変更が行われた後の対応付けの内容の表示をさらに指示する請求項７に記載の情報処理システムである。
請求項９に記載の発明は、前記取得手段は、複数の部品からなる印刷物の生成に用いられる印刷情報を取得し、前記印刷情報生成手段は、取得された複数の前記印刷情報から、部品毎の印刷情報を生成し、前記対応付け変更手段は、生成された前記部品毎の印刷情報の各々と、複数の印刷装置の各々とを対応付ける請求項１に記載の情報処理システムである。
請求項１０に記載の発明は、前記対応付け変更手段は、一の前記印刷装置に対応付けられた部品毎の印刷情報を、当該一の印刷装置とは異なる他の印刷装置に対応付ける請求項９に記載の情報処理システムである。
請求項１１に記載の発明は、印刷物の生成に用いられる印刷情報を取得する取得手段と、取得された複数の前記印刷情報から、複数の新たな印刷情報を生成する印刷情報生成手段と、新たに生成された印刷情報の各々と、複数の印刷装置の各々とを、第１の条件を用いて対応付ける第１の対応付け手段と、新たに生成された印刷情報の各々と、複数の印刷装置の各々とを、第２の条件を用いて対応付ける第２の対応付け手段と、を備える情報処理システムである。
請求項１２に記載の発明は、前記第２の対応付け手段は、前記第１の対応付け手段による対応付けが行われた後、予め定められた条件が満たされた場合に、前記第２の条件を用いての対応付けを行う請求項１１に記載の情報処理システムである。
請求項１３に記載の発明は、前記第１の条件は、予め登録された条件であり、前記第２の条件は、前記第１の対応付け手段による対応付けの後に入力された条件である請求項１１に記載の情報処理システムである。
請求項１４に記載の発明は、前記第２の条件は、前記第１の対応付け手段による対応付けの後にユーザにより入力された条件である請求項１３に記載の情報処理システムである。
請求項１５に記載の発明は、印刷物の生成に用いられる印刷情報を取得する取得手段と、取得された複数の前記印刷情報から、複数の新たな印刷情報を生成する印刷情報生成手段と、新たに生成された印刷情報の各々と、複数の印刷装置の各々とを対応付ける対応付け手段と、前記印刷装置に対応付けられた印刷情報の内容を変更する内容変更手段と、を備える情報処理システムである。
請求項１６に記載の発明は、前記内容変更手段は、前記印刷装置における印刷物の印刷順序が変更されるように、印刷情報の内容の変更を行う請求項１５に記載の情報処理システムである。
請求項１７に記載の発明は、前記内容変更手段は、印刷物毎に定められた納期の順で印刷物が出力されるように、印刷情報の内容の変更を行う請求項１５に記載の情報処理システムである。
請求項１８に記載の発明は、前記内容変更手段は、一の印刷装置に対して、新たに生成された前記印刷情報が複数対応付けられた場合に、当該一の印刷装置に対応付けられた印刷情報の内容の変更を行う請求項１５に記載の情報処理システムである。
請求項１９に記載の発明は、前記取得手段は、複数の部品からなる印刷物の生成に用いられる印刷情報を取得し、前記印刷情報生成手段は、取得された複数の前記印刷情報から、部品毎の印刷情報を生成し、前記対応付け手段は、生成された前記部品毎の印刷情報の各々と、複数の印刷装置の各々との対応付けを行い、前記内容変更手段は、一の前記印刷装置に対応付けられた印刷情報の内容の変更にあたり、一の種類の部品の印刷と、続いて行われる当該一の種類の部品の印刷との間に、他の種類の部品の印刷が行われるように、印刷情報の内容の変更を行う請求項１５に記載の情報処理システムである。
請求項２０に記載の発明は、印刷物の生成に用いられる印刷情報を取得する取得機能と、取得された複数の前記印刷情報から、複数の新たな印刷情報を生成する印刷情報生成機能と、新たに生成された印刷情報の各々と、複数の印刷装置の各々とを対応付ける対応付け機能と、前記対応付け機能による対応付けを変更する対応付け変更機能と、をコンピュータに実現させるためのプログラムである。
請求項２１に記載の発明は、印刷物の生成に用いられる印刷情報を取得する取得機能と、取得された複数の前記印刷情報から、複数の新たな印刷情報を生成する印刷情報生成機能と、新たに生成された印刷情報の各々と、複数の印刷装置の各々とを、第１の条件を用いて対応付ける第１の対応付け機能と、新たに生成された印刷情報の各々と、複数の印刷装置の各々とを、第２の条件を用いて対応付ける第２の対応付け機能と、をコンピュータに実現させるためのプログラムである。
請求項２２に記載の発明は、印刷物の生成に用いられる印刷情報を取得する取得機能と、取得された複数の前記印刷情報から、複数の新たな印刷情報を生成する印刷情報生成機能と、新たに生成された印刷情報の各々と、複数の印刷装置の各々とを対応付ける対応付け機能と、前記印刷装置に対応付けられた印刷情報の内容を変更する内容変更機能と、をコンピュータに実現させるためのプログラムである。
【発明の効果】
【０００６】
請求項１の発明によれば、印刷装置に対して対応付けられる印刷情報を変更できる。
請求項２の発明によれば、対応付けの変更を一律に行う場合に比べ、不必要な対応付けの変更を抑制することができる。
請求項３の発明によれば、ユーザからの指示に応じて、対応付けの変更を行うことができる。
請求項４の発明によれば、ユーザが意図する条件での対応付けの変更を行うことができる。
請求項５の発明によれば、対応付けの結果を踏まえたうえでの対応付けの変更を行うことができる。
請求項６の発明によれば、対応付けの結果を把握したユーザが入力した条件に基づき、対応付けの変更を行うことができる。
請求項７の発明によれば、対応付けの内容をユーザに知らせることができる。
請求項８の発明によれば、対応付けの変更が行われた後の対応付けの内容をユーザに知らせることができる。
請求項９の発明によれば、各部品の印刷を１つの印刷装置を用いて行う場合に比べ、各部品の印刷により適した印刷装置で各部品の印刷を行える。
請求項１０の発明によれば、一の印刷装置に対応付けられた部品毎の印刷情報を、この一の印刷装置とは異なる他の印刷装置に対応付けることができる。
請求項１１の発明によれば、印刷装置に対して対応付けられる印刷情報を変更できる。
請求項１２の発明によれば、第２の対応付け手段による対応付けを一律に行う場合に比べ、不必要な対応付けを抑制することができる。
請求項１３の発明によれば、第１の対応付け手段による対応付けの結果を踏まえたうえで、第２の対応付け手段による対応付けを行うことができる。
請求項１４の発明によれば、第１の対応付け手段による対応付けの結果を把握したユーザにより入力された条件に基づき、第２の対応付け手段による対応付けを行うことができる。
請求項１５の発明によれば、印刷装置に対して対応付けられる印刷情報を変更できる。
請求項１６の発明によれば、印刷装置における印刷物の印刷順序を変更できる。
請求項１７の発明によれば、印刷物毎に定められた納期の順で印刷物を出力することができる。
請求項１８の発明によれば、印刷情報の内容の変更を行わない場合に比べ、印刷情報が複数対応付けられたことに起因する不具合を抑制することができる。
請求項１９の発明によれば、一の種類の部品の印刷と、続いて行われる一の種類の部品の印刷との間に、他の種類の部品の印刷を行うことができる。
請求項２０の発明によれば、印刷装置に対して対応付けられる印刷情報を変更できる。
請求項２１の発明によれば、印刷装置に対して対応付けられる印刷情報を変更できる。
請求項２２の発明によれば、印刷装置に対して対応付けられる印刷情報を変更できる。
【図面の簡単な説明】
【０００７】
【図１】情報処理システムの全体構成を示した図である。
【図２】印刷管理サーバの構成を示した図である。
【図３】ＣＰＵ等により実現される各機能部を示した図である。
【図４】印刷情報取得部が取得する印刷情報を説明する図である。
【図５】印刷管理サーバにより実行される処理の流れを説明する図である。
【図６】表示装置の表示画面の一例を示した図である。
【図７】対応付け変更部による対応付けの変更が行われた後の表示画面を示した図である。
【図８】一から新たな対応付けを行って対応付けの変更を行う場合の機能部を示した図である。
【図９】機能部による処理の流れを示した図である。
【図１０】内容変更部による処理を説明する図である。
【発明を実施するための形態】
【０００８】
以下、添付図面を参照して、本発明の実施の形態について詳細に説明する。
図１は、情報処理システム１の全体構成を示した図である。
本実施形態の情報処理システム１には、複数台の印刷装置１０と、この複数の印刷装置１０における印刷を管理する印刷管理サーバ２０とが設けられている。
さらに、情報処理システム１には、液晶ディスプレイなどにより構成され、情報を表示する表示装置３０が設けられている。
【０００９】
また、情報処理システム１には、コンピュータ装置等により構成され、ユーザからの指示を受け付ける受け付け装置４０が設けられている。
ここで、印刷管理サーバ２０、複数台の印刷装置１０、表示装置３０、および、受け付け装置４０は、ＬＡＮなどの通信回線１００を介して接続されている。
なお、本実施形態では、第１印刷装置１０Ａ〜第５印刷装置１０Ｅの５台の印刷装置１０が設けられる場合を一例に説明するが、これは一例であり、印刷装置１０の数は特に限られない。
【００１０】
図２は、印刷管理サーバ２０の構成を示した図である。
印刷管理サーバ２０には、ＣＰＵ（Central Processing Unit）２０１、ＲＡＭ（Random Access Memory）２０２、ＲＯＭ（Read Only Memory）２０３、磁気記憶装置２０４を備える。さらに、印刷管理サーバ２０には、外部との通信を行うための通信装置（通信Ｉ／Ｆ）２０５を備える。
【００１１】
ＲＯＭ２０３、磁気記憶装置２０４は、ＣＰＵ２０１により実行されるプログラムを記憶する。ＣＰＵ２０１は、ＲＯＭ２０３や磁気記憶装置２０４に記憶されているプログラムを読み出し、ＲＡＭ２０２を作業エリアにしてプログラムを実行する。
ＣＰＵ２０１により、ＲＯＭ２０３や磁気記憶装置２０４に格納されたプログラムが実行されることで、後述する各機能部が実現される。
【００１２】
ここで、ＣＰＵ２０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、印刷管理サーバ２０へ提供しうる。また、ＣＰＵ２０１によって実行されるプログラムは、インターネットなどの通信手段を用いて印刷管理サーバ２０へダウンロードしてもよい。
【００１３】
図３は、ＣＰＵ２０１等により実現される各機能部を示した図である。ＣＰＵ２０１により、ＲＯＭ２０３や磁気記憶装置２０４に格納されたプログラムが実行されることで、図３にて示す各機能部が実現される。
本実施形態の印刷管理サーバ２０には、図３に示すように、印刷情報取得部２５１、印刷情報生成部２５２、対応付け部２５３、対応付け変更部２５４、表示指示部２５５、内容変更部２５６が設けられる。
【００１４】
取得手段の一例としての印刷情報取得部２５１は、印刷物の生成に用いられる印刷情報を取得する。具体的には、本実施形態では、印刷情報取得部２５１は、複数の部品からなる印刷物の生成に用いられる印刷情報を取得する。
付言すると、印刷情報取得部２５１は、例えば、ユーザが操作する端末装置（不図示）から送信されてきた印刷情報を受信して、印刷情報を取得する。
【００１５】
印刷情報生成手段の一例としての印刷情報生成部２５２は、印刷情報取得部２５１により取得された複数の印刷情報から、複数の新たな印刷情報を生成する。
より具体的には、本実施形態の印刷情報生成部２５２は、例えば、後述するように、複数の部品からなる印刷物の生成に用いられる複数の印刷情報から、部品毎の印刷情報を複数生成する。
【００１６】
対応付け手段の一例としての対応付け部２５３は、印刷情報生成部２５２により新たに生成された複数の印刷情報の各々と、複数の印刷装置１０の各々とを対応付ける。
具体的には、対応付け部２５３は、例えば、後述するように、新たに生成された部品毎の印刷情報の各々と、複数の印刷装置１０の各々とを対応付ける。
【００１７】
対応付け変更手段の一例としての対応付け変更部２５４は、対応付け部２５３による対応付けを変更する。
表示指示手段の一例としての表示指示部２５５は、表示装置３０（図１参照）に対して、対応付け部２５３により行われた対応付けの内容の表示を指示する。さらに、表示指示部２５５は、対応付け変更部２５４による対応付けの変更が行われた場合、変更後の対応付けの内容の表示を指示する。
内容変更手段の一例としての内容変更部２５６は、印刷装置１０に対応付けられた印刷情報の内容を変更する。
【００１８】
図４は、印刷情報取得部２５１が取得する印刷情報を説明する図である。
印刷装置１０により生成される印刷物は、複数の部品から構成される場合がある。具体的には、印刷物は、例えば、表紙、本文、帯、見返しなどの複数の部品により構成される場合がある。
この場合、印刷物の生成にあたっては、例えば、１つの印刷情報に、複数の部品についての印刷情報を含めるようにし、この１つの印刷情報に基づき、複数の部品により構成される印刷物を生成する。
【００１９】
より具体的には、図４に示す例では、１つの印刷情報に、表紙の生成に用いられる印刷情報、本文の生成に用いられる印刷情報、帯の生成に用いられる印刷情報、見返しの生成に用いられる印刷情報が含まれている。
この印刷情報を用いて印刷を行うと、各部品に対応する印刷物が生成され、さらに、この各部品の印刷物を組み合わせることで、複数の部品から構成される印刷物が完成する。
【００２０】
ところで、各部品の印刷物を生成する場合、部品毎に、好ましい印刷条件があり、例えば、部品に応じて印刷装置１０を異ならせるようにすれば、各部品により適した印刷条件で印刷を行える。
本実施形態では、以下で説明するように、印刷情報から、部品毎の印刷情報を新たに生成し、さらに、生成したこの新たな印刷情報と、印刷装置１０の各々とを対応付けるようにする。これにより、各部品により適した印刷条件（印刷装置１０）で印刷を行える。
【００２１】
図５は、印刷管理サーバ２０により実行される処理の流れを説明する図である。
本実施形態では、まず、印刷情報取得部２５１によって、印刷物の生成に用いられる印刷情報が取得される。より具体的には、本例では、符号５Ａで示すように、第１印刷情報〜第３印刷情報の３つの印刷情報が取得される。
この３つの印刷情報の各々には、表紙の生成に用いられる印刷情報、本文の生成に用いられる印刷情報、帯の生成に用いられる印刷情報、見返しの生成に用いられる印刷情報が含まれる。
【００２２】
その後、本実施形態では、印刷情報取得部２５１が、この３つの印刷情報（第１印刷情報〜第３印刷情報の３つの印刷情報）から、符号５Ｂで示すように、部品毎の印刷情報を複数生成する。
より具体的には、この例では、符号５Ｃ、５Ｄ、５Ｅ、５Ｆで示すように、表示の生成に用いられる印刷情報、本文の生成に用いられる印刷情報、帯の生成に用いられる印刷情報、見返しの生成に用いられる印刷情報を生成する。
【００２３】
その後、本実施形態では、対応付け部２５３が、符号５Ｇで示すように、生成された部品毎の印刷情報の各々と、複数の印刷装置１０の各々との対応付けを行う。
より具体的には、対応付け部２５３は、部品毎の印刷情報の各々についての情報と、印刷装置１０の各々についての情報とに基づき、各印刷情報に適した印刷装置１０を特定し、印刷情報と印刷装置１０とを対応付ける。
【００２４】
より具体的には、対応付け部２５３は、部品毎の印刷情報に含まれる印刷設定、印刷内容等についての情報と、印刷装置１０の性能、機能等についての情報とに基づき、各印刷情報に適した印刷装置１０を特定し、印刷情報に適した印刷装置１０に対してこの印刷情報を対応付ける。
ここで、本実施形態では、印刷情報と印刷装置１０との対応付けが、人手によらずに自動で行われる。
【００２５】
このように、本実施形態の印刷管理サーバ２０では、まず、印刷情報取得部２５１が複数の印刷情報を取得する。次いで、印刷情報生成部２５２が、印刷情報取得部２５１が取得した複数の印刷情報から、複数の新たな印刷情報を生成する。
次いで、対応付け部２５３が、新たに生成された複数の印刷情報の各々と、複数の印刷装置１０の各々との対応付けを行う。
【００２６】
上記のように、部品毎の印刷情報を生成して、部品毎の印刷情報を各印刷装置１０に対応付けるようにすると、上記のとおり、各印刷情報（各部品）に適した印刷条件（印刷装置１０）で、各部品の生成を行える。
その後、本実施形態では、各部品が生成され、その後、各部品が組み合わされることで、予定していた印刷物（複数種類の部品から構成される印刷物）が完成する。
【００２７】
図６は、表示装置３０の表示画面３０Ａの一例を示した図である。
本実施形態では、対応付け部２５３による上記の対応付けが行われると、表示指示部２５５が、表示装置３０に対して、対応付け部２５３により行われた対応付けの内容の表示を指示する。
これにより、図６に示すように、表示装置３０には、対応付けの内容が表示される。
【００２８】
本実施形態の表示画面３０Ａでは、図中左側に、第１印刷装置１０Ａ〜第３印刷装置１０Ｃの各々を示す画像が上下方向に並べられて表示される。さらに、各印刷装置１０を示す画像の横には、各印刷装置１０に対応付けられた部品毎の印刷情報が表示される。
ここで、この表示画面３０Ａでは、符号６Ａで示す矢印が時間軸を示しており、図中右側にいくほど時間が経過することを示している。
【００２９】
図６にて示される表示例では、第１印刷装置１０Ａに対して、表紙の生成に用いられる印刷情報が対応付けられている。また、第２印刷装置１０Ｂに対して、本文の生成に用いられる印刷情報が対応付けられている。
さらに、第３印刷装置１０Ｃに対して、帯の生成に用いられる印刷情報、見返しの生成に用いられる印刷情報が対応付けられている。付言すると、第３印刷装置１０Ｃに対しては、部品毎の印刷情報が複数対応付けられている。
また、本実施形態では、各部品が、３部生成される場合を例示しており、部品毎の印刷情報には、３部分の印刷情報が含まれている。
【００３０】
ところで、本実施形態のように、対応付け部２５３が対応付けを行う場合（自動で対応付けを行う場合）、印刷情報と印刷装置１０との対応付けが、ユーザが望んでいない対応付けとなる場合も想定される。
付言すると、対応付け部２５３による対応付けが行われる場合、基本的に、印刷情報に適した印刷装置１０が対応付けられるが、他の優先すべき条件（納期、コストなどの他の条件）がある場合には、ユーザが望んでいない対応付けとなることが起こりうる。
そこで、本実施形態では、ユーザの指示があった場合など、予め定められた条件が満たされた場合、対応付け変更部２５４による対応付けの変更が行われる。
【００３１】
図７は、対応付け変更部２５４による対応付けの変更が行われた後の表示画面３０Ａを示した図である。
本実施形態では、対応付け変更部２５４による対応付けの変更が行われると、表示指示部２５５が、対応付けの変更が行われた後の対応付けの内容の表示指示を行う。
これにより、本実施形態では、表示画面３０Ａが切り替わり、図６にて示した表示画面３０Ａから、図７にて示す表示画面３０Ａとなる。
【００３２】
図７にて示す表示画面３０Ａでは、対応付けの内容が、図６にて示す表示画面３０Ａにて示された対応付けの内容とは異なっている。図７にて示す表示画面３０Ａでは、第１印刷装置１０Ａに対応付けられていた印刷情報（表紙の生成に用いられる印刷情報）が、第３印刷装置１０Ｃに対応付けられている。
付言すると、図６では、表紙の生成に用いられる印刷情報は、第１印刷装置１０Ａに対応付けられていたが、図７では、表紙の生成に用いられる印刷情報は、第３印刷装置１０Ｃに対応付けられている。
【００３３】
ここで、この例では、第１印刷装置１０Ａの画質が良く、また、第１印刷装置１０Ａの印刷速度が大きい。これに応じ、第１印刷装置１０Ａは、印刷コストが大きくなっている。
その一方で、第３印刷装置１０Ｃは、第１印刷装置１０Ａほど画質が良くなく、また、第３印刷装置１０Ｃの印刷速度は、第１印刷装置１０Ａに比べ小さい。これにより、第３印刷装置１０Ｃは、第１印刷装置１０Ａよりも印刷コストが小さくなっている。
【００３４】
さらに、本実施形態では、表紙について、ユーザが要求している印刷品質、印刷速度は小さくなっている。言い換えると、ユーザが表紙について要求している印刷コストは、小さくなっている。
そこで、本実施形態では、この場合、対応付け変更部２５４は、第１印刷装置１０Ａに対応付けられていた、表紙についての印刷情報を、第３印刷装置１０Ｃに対応付ける。
【００３５】
より具体的には、本実施形態では、対応付け変更部２５４は、表紙に生成に用いられる印刷情報を解析し、表紙について要求されている印刷品質、印刷速度などの要求事項を把握する。
付言すると、本実施形態では、印刷品質、印刷速度などの、ユーザが要求する要求事項が、印刷情報に含まれる形となっており、対応付け変更部２５４は、印刷情報を解析して、ユーザが要求する要求事項を把握する。
また、対応付け変更部２５４は、印刷装置１０毎に、印刷装置１０の印刷コストなどの印刷装置１０に関する情報を把握する。
【００３６】
そして、対応付け変更部２５４は、把握したこれらの情報に基づき、表紙の生成に用いられる印刷情報と印刷装置１０（第１印刷装置１０Ａ）との対応付けが適当であるかを判断する。
そして、対応付け変更部２５４は、適当ではないと判断した場合には、上記のように、表紙の生成に用いられる印刷情報を、第３印刷装置１０Ｃに対応付ける。
付言すると、本実施形態では、対応付け変更部２５４は、対応付けの変更を一律に行うのではなく、予め定められた条件が満たされる場合に、対応付けの変更を行う。
【００３７】
本実施形態では、対応付け部２５３による対応付けは、予め登録された条件に基づき行われる。
具体的には、対応付け部２５３は、例えば、部品毎の印刷情報を、各印刷装置１０に対応付けるにあたり、例えば、予め定められた条件に従って一律に対応付けを行う。
より具体的には、例えば、対応付け部２５３は、生成される印刷物の品質が最も良好となるように、部品毎の印刷情報と、印刷装置１０の各々とを対応付ける。
【００３８】
ここで、このように一律に対応付けを行う場合（品質を良好にするという１つの条件で対応付けを行う場合）、上記のように、他の優先すべき条件（納期、コストなどの他の条件）がある場合には、対応付け部２５３による対応付けが、ユーザが望んでいない対応付けとなることが起こりうる。
そこで、本実施形態では、上記のとおり、予め定められた条件が満たされた場合に、対応付け変更部２５４による対応付けの変更を行う。
【００３９】
なお、対応付け変更部２５４による対応付けの変更は、受け付け装置４０（図１参照）に対するユーザからの指示があった場合に行ってもよい。
具体的には、例えば、印刷コストを低減させる指示がユーザからあった場合に、対応付け変更部２５４が、対応付けの変更を行うようにしてもよい。
より具体的には、例えば、コスト優先での印刷を希望する印刷条件の入力がユーザからあった場合に、対応付けの変更を行ってもよい。
【００４０】
また、その他に、ユーザがドラッグアンドドロップなどの操作を行って（ユーザが情報受け付け装置４０に対する操作を行って）、上記表紙についての印刷情報を、第３印刷装置１０Ｃへ移動させた場合に、対応付けの変更を行ってもよい。
付言すると、対応付け変更部２５４は、印刷情報の対応付けの変更に関する具体的な指示がユーザからあった場合に、対応付けの変更を行ってもよい。
【００４１】
ここで、ユーザからの指示に基づき対応付けの変更を行うという上記の処理は、当初から登録されていた条件に基づく対応付けの変更処理ではなく、対応付け処理後に別途新たに入力された条件に基づく対応付けの変更処理といえる。
付言すると、ユーザからの指示に基づき対応付けの変更を行うという上記の処理は、対応付け処理の後にユーザが別途新たに入力した条件に基づく対応付けの変更処理といえる。
【００４２】
付言すると、本実施形態では、対応付け処理の後に、図６に示すように、対応付けの内容がユーザに一旦提示されるが、ユーザからの指示に基づき対応付けの変更を行うという上記の処理は、図６に示す表示画面３０Ａを参照したユーザが別途新たに入力した条件に基づく、対応付けの変更処理といえる。
【００４３】
なお、上記では、一部の印刷情報についての対応付け先を異ならせることで対応付けの変更を行ったが、対応付けの変更は、対応付け処理を一から行うことで（新たな対応付けを行うことで）行ってもよい。
より具体的には、例えば、対応付け部２５３による最初の対応付けが第１の条件が用いられて行われた場合において、対応付けの内容の変更を行う場合、この第１の条件とは異なる第２の条件を用い、一から新たな対応付けを行って、対応付けの変更を行ってもよい。
【００４４】
図８は、一から新たな対応付けを行って対応付けの変更を行う場合の機能部を示した図である。
図８にて示すこの構成例では、図３にて示した対応付け部２５３に替わり、第１対応付け部２５３Ａ、第２対応付け部２５３Ｂが設けられている。なお、第１対応付け部２５３Ａ、第２対応付け部２５３Ｂ以外の他の機能部は上記と同様である。
【００４５】
ここで、第１の対応付け手段の一例としての第１対応付け部２５３Ａは、最初に対応付け（１回目の対応付け）を行う機能部である。
第１対応付け部２５３Ａは、印刷情報生成部２５２により生成された部品毎の印刷情報の各々と、複数の印刷装置１０の各々とを、第１の条件（予め登録された条件）を用いて対応付ける。
具体的には、例えば、第１対応付け部２５３Ａは、生成される印刷物の各々の品質が最も良好となるように、部品毎の印刷情報と、印刷装置１０の各々とを対応付ける。
【００４６】
また、第２の対応付け手段の一例としての第２対応付け部２５３Ｂは、第１対応付け部２５３Ａによる対応付けの後に対応付けを行う機能部である。
第２対応付け部２５３Ｂは、印刷情報生成部２５２により生成された部品毎の印刷情報の各々と、複数の印刷装置１０の各々とを、第１の条件とは異なる第２の条件（例えば、印刷コストに関する条件）を用いて対応付ける。
【００４７】
図９は、図８にて示した機能部による処理の流れを示した図である。
図９にて示すこの処理では、上記と同様、まず、印刷情報取得部２５１が、複数の部品からなる印刷物の生成に用いられる印刷情報を取得する（ステップＳ１０１）。
次いで、印刷情報生成部２５２が、取得された複数の印刷情報から、部品毎の印刷情報を生成する（ステップＳ１０２）。
【００４８】
その後、第１対応付け部２５３Ａが、生成された部品毎の印刷情報の各々と、複数の印刷装置１０の各々とを、第１の条件を用いて対応付ける（ステップＳ１０３）。
具体的には、第１対応付け部２５３Ａは、例えば、生成される印刷物の各々の品質が最も良好となるように、部品毎の印刷情報と、印刷装置１０の各々とを対応付ける。
その後、本実施形態では、第２対応付け部２５３Ｂが、予め定められた条件を満たしているか否かを判断する（ステップＳ１０４）。具体的には、例えば、第２対応付け部２５３Ｂは、各印刷装置１０における印刷コストの各々が、予め定められた印刷コストを超えているかを判断する。
【００４９】
そして、第２対応付け部２５３Ｂは、予め定められた条件を満たしている場合（何れかの印刷装置１０における印刷コストが予め定められた印刷コストを超えている場合）、部品毎の印刷情報の各々と、複数の印刷装置１０の各々とを、第２の条件（印刷コストを優先する条件）を用いて対応付ける（ステップＳ１０５）。
付言すると、第２対応付け部２５３Ｂは、予め定められた条件を満たしている場合、部品毎の印刷情報の各々と、複数の印刷装置１０の各々とを、新たな条件を用いて対応付ける。
【００５０】
これにより、例えば、図６、図７にて示した場合と同様、第１印刷装置１０Ａに対応付けられていた表紙についての印刷情報が、第３印刷装置１０Ｃに対応付けられるようになる。
ここで、図９にて示したこの処理では、部品毎の印刷情報の各々と複数の印刷装置１０の各々との対応付けが一旦解除され、その後、新たな条件での対応付けが行われることになる。
【００５１】
なお、上記では、第２の条件（印刷コストを優先する条件）が、予め定められた登録されていた場合を一例に説明したが、第２の条件は、第１対応付け手段による対応付けの後に入力された条件を用いてもよい。
より具体的には、第２の条件は、例えば、第１対応付け手段による対応付けの後にユーザが入力した条件を用いてもよい。
【００５２】
より具体的には、ユーザが入力した条件に基づき対応付けを行う場合は、例えば、図６に示す表示画面３０Ａに（第１対応付け部２５３Ａによる対応付けの結果が表示される表示画面３０Ａに）、ユーザからの条件（第２の条件）を受け付けるための画面を表示する。
そして、この場合、第２対応付け部２５３Ｂは、この画面を介してユーザが入力した条件に基づき、対応付けを行う。
この場合、ユーザは、第１対応付け部２５３Ａによる対応付けの結果を踏まえたうで、第２の条件の設定を行える。
【００５３】
図１０は、図３にて示した内容変更部２５６による処理を説明する図である。
上記では、印刷情報と印刷装置１０との対応付けを変更する場合を説明した。これに対し、内容変更部２５６は、印刷装置１０毎に、印刷装置１０に対応付けられた印刷情報の内容を変更する。
図１０では、内容変更部２５６が、第３印刷装置１０Ｃに対応付けられた印刷情報の内容を変更した場合を示している。付言すると、図１０では、第３印刷装置１０Ｃに対応付けられた印刷情報の内容が変更され、第３印刷装置１０Ｃにおける、印刷物の印刷順序が変更された場合を示している。
ここで、「印刷情報の内容の変更」には、印刷情報の削除、追加に限らず、印刷情報の順序の変更も含む。
【００５４】
具体的に説明すると、本実施形態では、当初、第３印刷装置１０Ｃに対しては、図６に示すように、部品毎の印刷情報として、帯についての印刷情報、および、見返しについての印刷情報が対応付けられていた。さらに、３部の帯が、３部の見返しよりも先に印刷されるように、第３印刷装置１０Ｃに対し、帯についての印刷情報、見返しについての印刷情報が対応付けられていた。
付言すると、当初、一の種類の部品が先にまとめて印刷され、次いで、他の種類の部品がまとめて印刷されように、第３印刷装置１０Ｃに対して印刷情報が対応付けられていた。
【００５５】
これに対し、変更後の印刷情報では、図１０に示すように、一の種類の部品の印刷と、続いて行われるこの一の種類の部品の印刷との間に、他の種類の部品の印刷が行われるように、第３印刷装置１０Ｃへの印刷情報の対応付けが行われている。
付言すると、変更後の印刷情報では、一の種類の部品と他の種類の部品とが交互に印刷されるように、第３印刷装置１０Ｃへの印刷情報の対応付けが行われている。
【００５６】
より具体的には、帯の印刷と、続いて行われる帯の印刷との間に、見返しの印刷が行われるように、第３印刷装置１０Ｃへの印刷情報の対応付けが行われている。
付言すると、帯と見返しとが交互に印刷されるように、第３印刷装置１０Ｃへの印刷情報の対応付けが行われている。
【００５７】
本実施形態では、図６に示すように、当初、一の種類の部品である帯がまとめて印刷され、次いで、他の種類の部品である見返しがまとめて印刷されるように、印刷情報の対応付けが行われていた。
これに対し、印刷情報の内容の変更が行われた後は、上記のように、一の種類の部品の印刷の途中に、他の種類の部品の印刷が行われるように、印刷情報の対応付けが行われた状態となる。
【００５８】
さらに、本実施形態では、印刷情報の内容の変更が行われる結果、第３印刷装置１０Ｃでは、納期が近い印刷物が先に出力されるようになる。
付言すると、印刷情報の内容の変更が行われる結果、第３印刷装置１０Ｃでは、印刷物毎に定められた納期の順で印刷物が出力されるようになる。
【００５９】
ここで、部品毎の印刷情報の印刷装置１０への対応付けを、部品毎の印刷情報を単位として行うと、納期が早く設定されている印刷物の印刷順序が繰り下がってしまうことがある。
より具体的には、例えば、見返し１の納期が早く設定されている場合に、部品毎の印刷情報を単位として対応付けを行うと、図６にて示す見返し１のように、納期が早く設定されているこの見返し１の印刷順序が繰り下がることがある。
【００６０】
付言すると、部品毎の印刷情報を生成し、この部品毎の印刷情報を単位として、且つ、部品毎の印刷情報を一の印刷装置１０に対して複数対応付けると、納期が早く設定されている印刷物の印刷が後回しにされてしまうことが起こりうる。
そこで、図１０にて示した例では、印刷順序を変え、印刷物毎に定められた納期の順で印刷物が出力されるようにしている。これにより、納期が早く設定されている印刷物が、納期が遅く設定されている印刷物よりも先に出力される。
【００６１】
さらに説明すると、本実施形態では、内容変更部２５６は、一の印刷装置１０に対して、部品毎の印刷情報が複数対応付けられた場合に、この一の印刷装置１０に対応付けられた印刷情報の内容の変更を行うことになる。
一の印刷装置１０に対して、部品毎の印刷情報が１つだけ対応付けられる場合は、納期が早く設定されている印刷物の印刷が後回しにされることは生じにくい。
【００６２】
一の印刷装置１０に対して、部品毎の印刷情報が複数対応付けられると、上記のように、納期が早く設定されている印刷物の印刷が後回しにされることが生じる。
この場合、上記のように、印刷情報の内容の変更を行うようにすれば、納期が早く設定されている印刷物の印刷を、納期が遅く設定されている印刷物よりも先に行えるようになる。
【００６３】
（その他）
上記では、印刷情報生成部２５２による、複数の新たな印刷情報の生成を、部品の種類に基づき行う場合を説明したが、他の基準に基づき、複数の新たな印刷情報を生成してもよい。
例えば、色数/カラー単位、商品の種類、用紙の種類、納期、発送先、後処理の種類、顧客、出力設定、消耗品の種類等に基づき、複数の新たな印刷情報を生成してもよい。
【符号の説明】
【００６４】
１…情報処理システム、２５１…印刷情報取得部、２５２…印刷情報生成部、２５３…対応付け部、２５３Ａ…第１対応付け部、２５３Ｂ…第２対応付け部、２５４…対応付け変更部、２５５…表示指示部、２５６…内容変更部
【図１】
2019215722.tif 000003
【図２】
2019215722.tif 000004
【図３】
2019215722.tif 000005
【図４】
2019215722.tif 000006
【図５】
2019215722.tif 000007
【図６】
2019215722.tif 000008
【図７】
2019215722.tif 000009
【図８】
2019215722.tif 000010
【図９】
2019215722.tif 000011
【図１０】
2019215722.tif 000012